(57)【要約】【課題】ルーバーの裏面側の見栄えをよくし、ルーバー材の角度を適宜調整できるルーバーを提供する。【解決手段】本発明のルーバー１は、ルーバー材２長手沿いの一側部に係合部３を形成し、係合部３に適宜角度で係合できる係止部４を係合させ、係止部４、ルーバー材２及び柱材５に締結部材６を挿通し、締結固定する構成とする。【選択図】　図２
2004108060.tif 000002
【特許請求の範囲】
【請求項１】
ルーバー材長手沿いの一側部に係合部を形成し、係合部に適宜角度に係合できる係止部を係合させ、柱材を通し、係止部、ルーバー材に締結部材を挿通して締結固定する構成を有するルーバー。
【請求項２】
係合部を、内周面に半径方向に突出する長手方向の係合条又は長手方向の係合溝を設けた円筒状に形成し、係止部を、外周面に係合部と係合できる係止溝又は係止条を設けた円柱状に形成した請求項１に記載のルーバー。
【発明の詳細な説明】
【０００１】
【発明の属する技術分野】
本発明は、建物外面、特に窓の外面等に設置するルーバーに関する。
【０００２】
【従来の技術】
建物、特にビルの外面等には、陽射しを遮り、戸外から室内が見えないようにするためや、屋上にある冷房用室外機を覆い隠すためなどにルーバーを設置している場合が多い。例えば、図５に示すように、Ｃチャンネル状の長尺のルーバー材５０を横方向に数本組付けたものである。また、下記特許文献１や特許文献２に示すように、ルーバー材を回転可能とし、機械式でルーバー材の角度を変更できるようにしているものもある。
【０００３】
【特許文献１】
特開２００１−３２６４９号公報
【特許文献２】
特開２００１−３２６４６号公報
【０００４】
【発明が解決しようとする課題】
図５に示すルーバーを窓の外側に設置した場合、屋内側からは、ルーバー材５０の裏面側の開口部５１から締結部材５２の先端などが見えてしまい、美感を損ねるものであった。また、このようなルーバーでは、日光の入射角度によっては、部屋内に光が入射してしまい、陽射しを遮ることができずにいた。
機械式のルーバーでは、ルーバー材を適宜角度に回転させ陽射しを遮るようにできるが、構造が複雑になるためコスト的に高くなり、部品数も多くなるため重量的にも重くなるという問題が生じていた。
【０００５】
本発明は、上記課題に鑑み、ルーバー材の裏面側の見栄えをよくし、さらには、ルーバー材の角度を適宜に調整でき、しかも構造簡潔で軽量であるルーバーを提供することにある。
【０００６】
【課題を解決するための手段】
本発明は、ルーバー材長手沿いの一側部に係合部を形成し、係合部に適宜角度に係合できる係止部を係合させ、柱材を通し、係止部、ルーバー材に締結部材を挿通して締結固定する構成を有するルーバーとした。
このようにすることにより、係合部と係止部を適宜角度に合わせてルーバー材の表面に角度を持たせ、柱材に固定することができる。また構成部品を少なくすることにより軽量にすることができ、裏面側からは、係止部、締結部材などを外側から見えにくくし、外観に優れたものとすることができる。
【０００７】
好ましくは、係合部を、内周面に半径方向に突出する長手方向の係合条又は長手方向の係合溝を設けた円筒状に形成し、係止部を、外周面に係合部と係合できる係止溝又は係止条を設けた円柱状に形成する。このようにすることにより、円筒状の係合部の係合条又は係合溝に、円柱状の係止部の係止溝又は係止条を適宜角度で嵌め合わせ容易にルーバー材の表面角度を変更できるものとなる。
【０００８】
【発明の実施の形態】
以下、本発明の好適な一実施例を示す。
図１及び図２は、本発明のルーバーの一実施例の分解斜視図、図３は、図１及び図２のルーバー材を柱材に取り付けた場合の概略側断面図、図４は（ａ）〜（ｅ）は、ルーバー材の他の一例を示した概略側断面図である。
【０００９】
図１又は図２に示すように、本発明のルーバー１は、ルーバー材２、ルーバー材２長手沿いの一側部に設けた係合部３、係合部３に係合できる係止部４、ルーバー材２及び係止部４に挿通して柱材５に固定する締結部材６を主な構成として備えている。
【００１０】
ルーバー材２は、断面略扇形状で中空の適宜長さの長尺状をしており、円弧状の表面７には、凹条８を長手方向に数条設け化粧面としてある。表面７には、凹条８ではなく凸条を設けてもよく、また平滑な面としてもよいが、外観をよくするために凹条８又は凸条を設けた方が好ましい。ルーバー材２長手沿いの一側部、例えば表面７の反対側部には、係合部３が形成されている。
【００１１】
係合部３は、ルーバー材２の長手方向に伸びる円筒形状をしており、その内周面には、半径方向に向かい断面略三角形状に突出し長手方向に連続した係合条９が形成してある。図では、係合条９はルーバー材２の表面７の反対側から表面７方向に向かって突起して設けてあるが、内周面上で半径方向に向かい突設してあればどの位置でも構わない。また、係合条９は一条ではなく、複数条設けてもよい。また、係合条９の代わりに内周面を窪ませた複数条長手方向の係合溝としてもよい。
係合部３の外周面のルーバー材２長手方向の両側端寄り部位には、締結部材６を挿通するための固定孔１０が穿設されている。固定孔１０の形状は、係止部４を係合部３に嵌合させる際、挿通孔１４の位置は上下方向に変わるので、その位置に合うように、挿通孔１４の穴径よりも大きめの丸孔の固定孔１０として穿設する。また、どの位置に挿通孔１４が来ても締結部材６が挿通できるように固定孔１０を円周方向の長孔としてもよい。固定孔１０の位置は、長手方向の両側端部寄りに設ければよいが、中間部に設けてもよい。
【００１２】
係止部４は、係合部３に嵌入する断面Ｃ形状の円筒外形を有し、筒内に締結片１１を挿入できる断面略矩形状の挿入孔１２を開口させ、外周面には、係合部３の係合条９に係止できる係止溝１３を長手方向に複数条設けている。図ではＣ形状の背面部分に１５°ごとに計７条設けている。なお、係合部３を係合条９ではなく係合溝としている場合は、係止溝１３に代えて係止条とすればよい。係止溝１３を形成した外周面の長手方向中央部には、締結部材６を挿通するための挿通孔１４が穿設してあり、Ｃ形状の開口部は、長手方向に開口させ、締結部材６の先端が当たらず、また締結片１１を挿入摺動しやすいように形成してある。
締結片１１は、略直方体形状であり、その平面には、締結部材６が締結できるようにねじ孔１５が穿設されている。なお、係止部４と締結片１１は、本実施例では別体で形成してあるが一体に形成してもよい。
【００１３】
柱材５は、断面略Ｌ字形の長尺材であり、一辺の面内の適宜箇所に締結部材６を挿通するための固定孔１６が穿設されている。柱材５の形状は、これに限定されるものではなく、平板形状や断面略コの字状に形成してもよくルーバー材２を固定し支えられるものであればよい。
締結部材６は、ボルトであり、締結片１１のねじ孔１５及びナット１７に締結できるようにしてある。また、締結する際、介装片１８をルーバー材２と柱材５の間に介装することによりガタつくことなく柱材５に固定することができる。介装片１８は、プレートの一面を係合部３の外側の曲面に接面するように凹曲面に形成し、反対面を柱材５と接面するように平面状面として形成してある。
【００１４】
以下に、本発明のルーバー１の組付け方法を説明する。
図１又は図２に示すように、締結片１１を係止部４の挿入孔１２に挿入し、締結片１１のねじ孔１５と係止部４の挿通孔１４が合わさるようにし、両者を接着乃至溶接し、或いは係止部４の締結片１１の両側部をわずかにかしめるようにするなどして固着する。次に、係合部３に係止部４を挿入する。このとき、ルーバー材２の表面角度を考慮しながら、係止部４の係止溝１３と係合部３の係合条９の嵌合位置を決めて挿入する。例えば、真ん中に位置する係止溝１３に嵌合させれば、図３に示す実線の位置に取り付けることができ、それより１段上方の係止溝１３と嵌合させれば破線ａの位置に取り付けることができ、さらに上方の係止溝１３と嵌合させれば破線ｂ、破線ｃの位置へと取り付けることができる。ルーバー材２が上向きとなるように取り付けたい場合は、真ん中の係止溝１３より下方の係止溝１３に取り付けることによりルーバー材２を上向きとさせることができる。
【００１５】
また、ルーバー材２の形状は、図１〜図３にある形状に限定されるものではなく、例えば、図４（ａ）にある断面略矩形扁平中空形状、図４（ｂ）にある断面略長三角形中空形状、図４（ｃ）にある断面略円弧状のように屋外側に突出する形状にすれば、日除けとしてさらに効果的であり、図４（ｄ）にある断面菱形乃至略正方形中空形状、図４（ｅ）にある変形楕円中空形状とすれば美観的に優れたものとすることができる。
【００１６】
係止部４の係止溝１３と係合部３の係合条９とを嵌合させ、係合部３内に係止部４を長尺状の棒などを使用して挿入していき、係止部４の挿通孔１４と係合部３の固定孔１０が合わさるようにする。
【００１７】
係止部４の位置が決定したら、締結部材６を締結片１１のねじ孔１５に締結部材６の先端が、係合部３の内周に当接するまで締結し、締結部材６を介装片１８及び柱材５の固定孔１６に挿通して、必要があればワッシャー１９、１９を介装して、ナット１７で柱材５に固定する。このように、係止部４の係止溝１３及び係合部３の係合条９が噛み合う方向に締結部材６で固定するので強固に取り付けることができる。締結部材６は、頭付きの長ボルトなどを使用してもよい。上記施工は工場作業が特に簡便である。
なお、柱材５の一辺又は下端等を壁面などの建物躯体に予め固定しておいてもよい。
【００１８】
【発明の効果】
ルーバー材長手沿いの一側部に係合部を形成し、係合部に適宜角度に係止部を係合させることにより、簡略な構造でルーバー材の表面角度を容易に変更でき、裏面側より係止部、締結部材などを見えにくくし、外観上見栄えをよくすることができる。
【図面の簡単な説明】
【図１】本発明のルーバーの一実施例の分解斜視図である。
【図２】図１のルーバーを組付固定する際の分解斜視図である。
【図３】図１のルーバー材の作動態様を示した概略側断面図である。
【図４】（ａ）〜（ｅ）は、ルーバー材の他の実施例を示した概略側断面図である。
【図５】ルーバーの従来例を示した概略斜視図である。
【符号の説明】
１　ルーバー
２　ルーバー材
３　係合部
４　係止部
５　柱材
６　締結部材
７　表面
８　凹条
９　係合条
１０　固定孔
１１　締結片
１２　挿入孔
１３　係止溝
１４　挿通孔
１５　ねじ孔
１６　固定孔
１７　ナット
１８　介装片
１９　ワッシャー
【図１】
2004108060.tif 000003
【図２】
2004108060.tif 000004
【図３】
2004108060.tif 000005
【図４】
2004108060.tif 000006
【図５】
2004108060.tif 000007